(57)【要約】【課題】  エレベータのかご内が混雑しているときに、扉から離れた位置に降車しようとする乗客がいる場合に、降車しようとする乗客がいることを他の乗客に報知するエレベータ乗降者案内装置を提供する。【解決手段】  予め乗客の降車階情報を登録した携帯端末３と、乗場およびかご内に配設されて前記携帯端末に登録された降車階情報を受信する受信機４と、かごが停止した階床と前記携帯端末３から受信した降車階情報とを比較し、停止階床と一致する降車階情報を受信した場合に、乗客に降車する旨を報知する受信データ認識手段を設けた。【選択図】図３
2008120574.tif 000002
【特許請求の範囲】
【請求項１】
予め乗客の降車階情報を登録した携帯端末と、乗場およびかご内に配設されて前記携帯端末に登録された降車階情報を受信する受信機と、かごが停止した階床と前記携帯端末から受信した降車階情報とを比較し、停止階床と一致する降車階情報を受信した場合に、乗客に降車する旨を報知する受信データ認識手段を備えたことを特徴とするエレベータ乗降者案内装置。
【請求項２】
予め乗客の降車階情報を登録した携帯端末と、乗場およびかご内に配設されて前記携帯端末に登録された降車階情報を受信する受信機と、前記携帯端末から受信した降車階情報を記憶する携帯端末データ記憶手段と、かごが停止した階床と前記携帯端末データ記憶手段に記憶された降車階情報とを比較し、停止階床と一致する降車階が記憶されている場合に、乗客に降車する旨を報知する受信データ認識手段を備えたことを特徴とするエレベータ乗降者案内装置。
【請求項３】
前記受信データ認識手段が乗客に降車する旨を報知するときに、報知する音声データを格納した出力データ記憶手段と、前記出力データ記憶手段に記憶された音声データをかご内放送装置に出力する音声データ出力手段を備えたことを特徴とする請求項１または請求項２に記載のエレベータ乗降者案内装置。
【請求項４】
前記受信データ認識手段が乗客に降車する旨を報知するときに、報知する表示データを格納した表示データ記憶手段と、前記表示データ記憶手段に記憶された表示データをメッセージ表示装置に出力する表示データ出力制御手段を備えたことを特徴とする請求項１から請求項３のいずれかに記載のエレベータ乗降者案内装置。
【発明の詳細な説明】
【技術分野】
【０００１】
この発明は、かごが停止した階床で乗降する乗客に降車する乗客がいることを報知するエレベータ乗降者案内装置に関するものである。
【背景技術】
【０００２】
従来、エレベータの乗客が所持した行き先階等の個人情報をインプットした特定のタグと、エレベータのコントローラ間にて送受信し、この特定されたエレベータＩＤ及びタグＩＤと、エレベータ認証用データベースとに基づいてエレベータ停止許可階を指定し、この許可階情報と押し釦操作情報とを照合して停止階を指定する運転指令を出すよう制御するものが提案されている（例えば、特許文献１参照）。
【０００３】
【特許文献１】特開２００６−９６５０５号公報
【発明の開示】
【発明が解決しようとする課題】
【０００４】
しかしながら、乗客が乗降する階床にかごが停止したときに、エレベータのかご内が混雑しているときにかごから降車しようとする乗客がいる場合には、かご内の操作盤の近くにいる乗客が戸の開閉釦を操作することによって、降車しようとする乗客が降車するまで戸開制御していた。しかし、降車しようとする乗客が大声を発しないと、操作盤の近くにいる乗客が気付かないため、降車しようとする乗客が降車できないという問題があった。
【０００５】
この発明は、エレベータのかご内が混雑しているときに、扉から離れた位置に降車しようとする乗客がいる場合に、降車しようとする乗客がいることを他の乗客に報知するエレベータ乗降者案内装置を提供することを目的とする。
【課題を解決するための手段】
【０００６】
この発明に係るエレベータ乗降者案内装置は、予め乗客の降車階情報を登録した携帯端末と、乗場およびかご内に配設されて前記携帯端末に登録された降車階情報を受信する受信機と、かごが停止した階床と前記携帯端末から受信した降車階情報とを比較し、停止階床と一致する降車階情報を受信した場合に、乗客に降車する旨を報知する受信データ認識手段を備えた。
【発明の効果】
【０００７】
この発明は、予め乗客の降車階情報を登録した携帯端末と、乗場およびかご内に配設されて前記携帯端末に登録された降車階情報を受信する受信機と、かごが停止した階床と前記携帯端末から受信した降車階情報とを比較し、停止階床と一致する降車階情報を受信した場合に、乗客に降車する旨を報知することにより、エレベータのかご内が混雑しているときに、降車しようとする乗客が大声を発することなく降車できるエレベータ乗降者案内装置を提供する。
【発明を実施するための最良の形態】
【０００８】
図１は、この発明の実施の形態に係るエレベータ乗降者案内装置の全体構成図である。図１に示すように、１は、エレベータのかごであり、２は、エレベータ乗降者案内装置である。また、３ａは、予め乗客の降車階情報を登録して乗場の乗客が携帯する携帯端末であり、３ｂは、予め乗客の降車階情報を登録してかご内の乗客が携帯する携帯端末である。さらに、４ａは、乗場に設置されて、乗場の乗客が携帯する携帯端末３ａからの降車階情報を受信する受信機であり、４ｂは、かご内に設置されて、かご内の乗客が携帯する携帯端末３ｂからの降車階情報を受信する受信機である。さらにまた、５は、エレベータの戸を開閉制御し、かごの昇降を制御するとともに、戸の開閉状態信号とかごの停止階床情報を出力するエレベータ制御手段である。
【０００９】
ここで、２１は、受信機４ａ（または４ｂ）から乗客の降車階情報を入力し、携帯端末データ記憶部２２に記憶するとともに、エレベータ制御手段５からかごの停止階床情報を入力して、乗客の降車階情報と比較し一致するか否かを認識する受信データ認識手段である。また、２３は、受信データ認識手段２１がかごの停止階床と乗客の降車階情報とが一致すると認識したときに、乗客に降車する旨を報知するアナウンスメッセージや表示メッセージのデータを記憶した出力データ記憶部である。そして、２４は、乗客に報知するアナウンスメッセージをかご内放送装置１１に出力する音声データ出力制御手段であり、２５は、乗客に報知する表示メッセージをメッセージ表示装置１２に出力する表示データ出力制御手段である。
【００１０】
図２は、この発明の実施の形態に係るエレベータ乗降者案内装置の出力データ記憶部に記憶した出力データの構成図である。図２に示すように、出力データ記憶部２３には音声データと表示データが記憶されており、接続された報知装置の種類に応じて音声データと表示データを読み出すことができる。
【００１１】
図３は、この発明の実施の形態に係るエレベータ乗降者案内装置の制御内容を説明するフローチャートである。このフローチャートで示す制御プログラムはエレベータ乗降者案内装置２に実装される。図２に示すフローチャートを参照して動作を説明する。まず、ステップＳ１００で、受信機４ａ（または４ｂ）から乗客の携帯端末３ａ（または３ｂ）に登録された降車階情報を入力すると、携帯端末データ記憶部２２に降車階情報を記憶する。ここで、携帯端末データ記憶部２２に降車階情報を記憶するときに、降車階情報を受信した乗客の携帯端末３ａ（または３ｂ）を識別するＩＤと、受信した受信機４ａ（または４ｂ）を識別するアドレスとを降車階情報とともに記憶する。また、乗客の携帯端末３ａ（または３ｂ）と受信機４ａ（または４ｂ）は予め設定された周期で定期的に情報を送受信し、その都度携帯端末データ記憶部２２に最新情報を記憶する。さらに、乗客の携帯端末３ａ（または３ｂ）は無線ＩＣタグ（ＲＦＩＣタグ）または、携帯電話などを使用しても良い。
【００１２】
次にステップＳ１０１で、エレベータ制御手段５からかごが停止した、あるいは停止しようとしている階床情報を取得する。そして、ステップＳ１０２で、携帯端末データ記憶部２２に記憶した降車階情報とステップＳ１０１で取得した停止階床とを比較し一致するものがあるか否かを判定する。ここで、降車階情報と停止階床が一致するものがあればステップＳ１０４へ進む。また、降車階情報と停止階床が一致するものがない場合はステップＳ１００へ戻る。
【００１３】
次にステップＳ１０４で、停止階床と一致する降車階情報を受信した受信機４ａ（または４ｂ）を識別するアドレスを取得して、乗場に設置した受信機４ａかかご内に設置した受信機４ｂかを判別する。そしてステップＳ１０５で、ステップＳ１０４で判別した結果に応じて、図２に示す乗場またはかご内に報知する音声データまたは表示データを取得する。
【００１４】
次にステップＳ１０６で、接続された報知装置の種類に応じて、音声データの場合は音声データ出力制御手段２４に音声データを出力してかご内放送装置１１からアナウンスメッセージで乗客に報知し、表示データの場合は表示データ出力制御手段２５に表示データを出力してメッセージ表示装置１２から表示メッセージで乗客に報知する。
【００１５】
そしてステップＳ１０７で、エレベータ制御手段５から戸の開閉状態を表す信号を取得して戸が全閉状態か否かを判別する。ここで、戸が全閉状態でない場合はステップＳ１０６へ戻り、戸が全閉状態であればステップＳ１０８へ進む。つまり、乗客の乗降が完了するまで乗客に乗降を促す報知を継続する。
【００１６】
次にステップＳ１０８で、音声データ出力制御手段２４に音声データの出力停止を指示し、表示データ出力制御手段２５に表示データの出力停止を指示する。さらに、携帯端末データ記憶部２２に記憶された停止階床と一致する降車階情報を削除して処理を終了する。
【００１７】
以上のように、予め乗客の降車階情報を登録した携帯端末と、乗場およびかご内に配設されて前記携帯端末に登録された降車階情報を受信する受信機と、かごが停止した階床と前記携帯端末から受信した降車階情報とを比較し、停止階床と一致する降車階情報を受信した場合に、乗客に降車する旨を報知することにより、エレベータのかご内が混雑しているときに、降車しようとする乗客が大声を発することなく降車できる
【図面の簡単な説明】
【００１８】
【図１】この発明の実施の形態に係るエレベータ乗降者案内装置の全体構成図である。
【図２】この発明の実施の形態に係るエレベータ乗降者案内装置の出力データ記憶部に記憶した出力データの構成図である。
【図３】この発明の実施の形態に係るエレベータ乗降者案内装置の制御内容を説明するフローチャート図である。
【符号の説明】
【００１９】
１  エレベータのかご、  ２  エレベータ乗降者案内装置、  ３  携帯端末、
４  受信機、  ５  エレベータ制御手段、１１  かご内放送装置、１２  メッセージ表示装置、２１  受信データ認識手段、２２  携帯端末データ記憶部、２３  出力データ記憶部、２４  音声データ出力制御手段、２５  表示データ出力制御手段、
【図１】
2008120574.tif 000003
【図２】
2008120574.tif 000004
【図３】
2008120574.tif 000005